(57)【要約】【課題】電気機器とＡＣアダプタとを接続するＤＣコネクタを故意、偶然に関らず抜けにくい構造にすること。【解決手段】くの字型ＤＣコネクタ１３を使用することで、電源コード１４の引張りによる力を分散させて抜けを防ぎ、また電気機器１１に凹部３１を設け、くの字型ＤＣコネクタ１３を電気機器１１に収めてしまうことで、故意にくの字型ＤＣコネクタ１３を指で引抜くことを防ぐ。さらに、凹部３１に蓋４１を取り付けることで、より確実にくの字型ＤＣコネクタ１３の抜けを防ぐ。【選択図】図４
2005151629.tif 000002
【特許請求の範囲】
【請求項１】
ＡＣアダプタと、前記ＡＣアダプタと電気機器を接続するくの字型ＤＣコネクタを有し、前記電気機器の前記くの字型ＤＣコネクタ挿入口付近に、前記くの字型ＤＣコネクタを前記電気機器に内包させるための凹部を設けた電気機器。
【請求項２】
くの字型ＤＣコネクタの電気機器への接続時に、前記電気機器の前記くの字型ＤＣコネクタ接続部に蓋をする構成とした請求項１記載の電気機器。
【請求項３】
ＡＣアダプタを保持するためのアタッチメントを有する請求項１または２記載の電気機器。
【発明の詳細な説明】
【技術分野】
【０００１】
本発明はＡＣアダプタを備えた電気機器に関するものである。
【背景技術】
【０００２】
従来、ノート型パソコンなどの携帯可能な電気機器には電源としてＡＣアダプタが使用される。その特徴として、電源部分を電気機器外部に設けることで、電気機器は軽量、小型化することができる（特許文献１参照）。
【０００３】
また、充電式バッテリを併用することで、ＡＣアダプタを取り外しても停電時や屋外等電源の無い場所での使用が可能である。したがって、電気機器とＡＣアダプタのＤＣコネクタは、簡単に着脱できる構造を持つ。
【特許文献１】特開平６−２５８３５８号公報
【発明の開示】
【発明が解決しようとする課題】
【０００４】
しかしながら、バッテリを装備しておらず、かつ常時通電が必要となる電気機器で、電気機器の軽量、小型化のために電源にＡＣアダプタを使用した電気機器について考えると、前記従来の構成のようにＡＣアダプタが簡単に着脱できる構造であると問題がある。
【０００５】
ここで図６はＡＣアダプタを使用した従来の電気機器の概略図である。電気機器６１に、ＤＣコネクタ６３が接続され、その先に電源コード６４を介してＡＣアダプタ６２が接続されている。
【０００６】
また、図７は電源コード６４を引張った場合の従来の電気機器の概略図である。電源コード６４を引張る力Ｆは直接ＤＣコネクタ６３に伝わり、簡単にＡＣアダプタ６２が抜けて電気機器６１の電源が落ちる。
【０００７】
本発明は、上記従来の課題を解決するもので、ＤＣコネクタが故意、偶然に関らず抜けにくい構造を持つ電気機器の提供を目的とする。
【課題を解決するための手段】
【０００８】
前記従来の課題を解決するために、本発明の電気機器はＡＣアダプタのＤＣコネクタをくの字型にすることで、電源コードの引張りによる抜けを防ぐ。さらにＤＣコネクタが収まるように電気機器に凹部を設け、蓋を付けることで、故意に指で引抜こうとした場合にも抜きにくくなる。
【発明の効果】
【０００９】
以上のように、本発明によれば簡単な構造で、ＤＣコネクタが抜けにくい電気機器を構成できる。
【発明を実施するための最良の形態】
【００１０】
第１の発明は、まず電気機器に接続するＡＣアダプタのＤＣコネクタをくの字型にしたものである。ＤＣコネクタをくの字型にすることで、電源コードを引張った場合に、てこの原理によりＤＣコネクタの抜けを防ぐ。また特にＤＣコネクタが収まるように電気機器に凹部を設けたものである。ＤＣコネクタを電気機器に収めることで、ＤＣコネクタを指で持つことが困難となり、簡単に抜くことができなくなるものである。
【００１１】
第２の発明は、特に第１の発明の電気機器に設けた凹部に蓋をするものであり、蓋を外さなければＤＣコネクタをはずすことができなくなりＤＣコネクタの抜けをより確実に防ぐものである。
【００１２】
第３の発明は、ＡＣアダプタを壁等に保持するアタッチメントを有することで、ＡＣアダプタの落下等による電源コードの引張りを防ぎ、ＤＣコネクタの抜けを防ぐものである。
【００１３】
以下、本発明の実施の形態について、図１〜図５を参照しながら説明する。
【００１４】
（実施の形態１）
図１は、本発明の第１の実施の形態における電気機器の概略図である。電気機器１１に、ＤＣコネクタ１３が接続され、その先に電源コード１４を介してＡＣアダプタ１２が接続されている。
【００１５】
ここで、図２は電源コード１４を引張った場合の本発明の第１の実施の形態における電気機器の概略図を示すものである。電源コード１４を引張る力Ｆは、Ａ点において力Ｆに平行な力成分と力Ｆに垂直な力成分に分けられる。さらに、力Ｆに垂直な力成分は、Ａ点を力点、Ｂ点を支点、Ｃ点を作用点としたてこの原理でＣ点に伝わる。Ｃ点に伝わった力が抵抗となり、力Ｆに平行な力成分を小さくする。これによって電源コード１４を引張った場合の抜けを防ぐ構造が実現できる。
【００１６】
さらに図３（ａ）は、本発明の第１の実施の形態における電気機器の正面概略図を、また、図３（ｂ）は、本発明の第１の実施の形態における電気機器の側面概略図を示すものである。
【００１７】
くの字型ＤＣコネクタ１３は、電気機器１１の凹部３１に収まる。これによって、くの字型ＤＣコネクタ１３を指で挟むことができなくなり、故意にＤＣコネクタを抜く場合にも抜けにくい構造を実現できる。メンテナンス等でくの字型ＤＣコネクタ１３を抜く必要がある場合には、図３（ａ）の点Ｄに矢印の方向に力を加えるようにたとえば棒状のもので押し上げれば抜くことができる。
【００１８】
（実施の形態２）
図４（ａ）は、本発明の第２の実施の形態における電気機器の正面概略図を、また、図４（ｂ）は、本発明の第２の実施の形態における電気機器の側面概略図を示すものである。くの字型ＤＣコネクタ１３は電気機器１１の凹部３１に収まり、蓋４１がされている。さらに蓋４１をネジ止め等の固定手段によって固定することでより確実にくの字型ＤＣコネクタ１３の抜けを防ぐことができる。
【００１９】
（実施の形態３）
図５は、本発明の第３の実施の形態における電気機器の正面概略図を示すものである。アタッチメント５１によってＡＣアダプタ１３を壁等に保持し、ＡＣアダプタ１３の落下等による電源コード１４の引張りを防ぎ、くの字型ＤＣコネクタ１３の抜けを防ぐ。
【００２０】
なお、図５のようにＡＣアダプタ１３に凹部を設けてアタッチメントに固定する方法は一例にすぎず、このほかのやり方によってＡＣアダプタ１３をアタッチメント５１に固定させる方法であればよい。
【産業上の利用可能性】
【００２１】
以上のように、本発明にかかる電気機器は簡単な構造の組み合わせのみでＡＣアダプタのＤＣコネクタ抜けを起こりにくくすることができ、ＡＣアダプタを利用する電気機器において簡単に実施が可能である。
【図面の簡単な説明】
【００２２】
【図１】本発明の実施の形態１における電気機器の概略図
【図２】本発明の実施の形態１における電気機器の概略図
【図３】（ａ）本発明の実施の形態１における電気機器の正面概略図（ｂ）本発明の実施の形態１における電気機器の側面概略図
【図４】（ａ）本発明の実施の形態２における電気機器の正面概略図（ｂ）本発明の実施の形態２における電気機器の側面概略図
【図５】本発明の実施の形態３における電気機器の概略図
【図６】従来の電気機器の概略図
【図７】従来の電気機器の構成図
【符号の説明】
【００２３】
１１  電気機器
１２  ＡＣアダプタ
１３  くの字型ＤＣコネクタ
１４  電源コード
３１  凹部
４１  蓋
５１  アタッチメント
６１  電気機器
６２  ＡＣアダプタ
６３  ＤＣコネクタ
６４  電源コード
【図１】
2005151629.tif 000003
【図２】
2005151629.tif 000004
【図３】
2005151629.tif 000005
【図４】
2005151629.tif 000006
【図５】
2005151629.tif 000007
【図６】
2005151629.tif 000008
【図７】
2005151629.tif 000009